(57)【要約】【課題】  記録媒体に保存された画像データをＣＤ−Ｒ等の記録メディアに書き込む際、任意のフォルダを作成して画像データを分類し、また、同一ファイル名の画像データが存在する場合、ファイル名に通し番号を付加したファイル名に変更して記録メディアへの書き込みを行う画像出力装置を提供する。【解決手段】  入力メディア１２２から取得した画像データを出力メディア１２３に書き込む際、利用者が作成したフォルダ、あるいは、画像出力装置１０１が日付毎に自動作成したフォルダに指定された画像データを書き込む。また、出力メディア１２３に書き込む画像データが同一ファイル名を持つ場合、元のファイル名に通し番号を追加したファイル名に変更して書き込みを行う。【選択図】  図１
2005149251.tif 000002
【特許請求の範囲】
【請求項１】
画像データを記録媒体から読み取る読取手段と、
前記読取手段が読み取った前記画像データを、一意的なファイル名で書き込み用記録媒体に書き込む書込手段と、
を具備することを特徴とする画像出力装置。
【請求項２】
前記書込手段は、同一ファイル名の画像データがあるときに、通し番号を付加したファイル名に変更し、前記書き込み用記録媒体に書き込むことを特徴とする請求項１記載の画像出力装置。
【請求項３】
前記書込手段は、前記書き込み用記録媒体にフォルダを作成し、前記フォルダに指定された前記画像データを書き込むことを特徴とする請求項１記載の画像出力装置。
【請求項４】
前記フォルダ及び前記フォルダに書き込む前記画像データは、ユーザが指定することを特徴とする請求項３記載の画像出力装置。
【請求項５】
前記書込手段は、前記画像データが作成された日付に基づいて前記フォルダを作成し、前記フォルダに書き込む前記画像データを選択することを特徴とする請求項１記載の画像出力装置。
【請求項６】
コンピュータを請求項１記載の画像出力装置として機能させることを特徴とするプログラム。
【請求項７】
コンピュータを請求項１記載の画像出力装置として機能させるプログラムを記録したことを特徴とする記録媒体。
【発明の詳細な説明】
【技術分野】
【０００１】
本発明は、持参した記録メディアに記録されている画像データをＣＤ−Ｒ（CompactDisc-Recordable）等の記録メディアに書き込みする画像出力装置等に関する。
【背景技術】
【０００２】
従来、店舗内や街頭に設置することが可能であり、デジタルカメラ等で撮像して記録メディアに記録した画像データ等をＣＤ−Ｒ等の記録メディアに書き込む操作を行うことができる画像出力装置がある。（例えば、特許文献１参照）
【０００３】
【特許文献１】特開２００３−１０９１０９号公報
【発明の開示】
【発明が解決しようとする課題】
【０００４】
しかしながら、上記方法では、通常、ＣＤ−Ｒに書き込む画像データのファイル名は、記録媒体で保存されたファイル名をそのまま使用するため、ファイル名から画像データの内容を判断することが困難である。
【０００５】
また、記録媒体上に多数の画像データが保存されていて、それらをＣＤ−Ｒ上に書き込んだ場合、ＣＤ−Ｒ上での画像データの検索性が悪くなる。
【０００６】
また、記録媒体上の異なるフォルダ内に同一ファイル名の画像データが存在する場合、ＣＤ−Ｒへの書き込み時に不具合が生じる。
【０００７】
本発明は、このような問題に鑑みてなされたもので、その目的とするところは、記録媒体に保存された画像データをＣＤ−Ｒ等の記録メディアに書き込む際、任意のフォルダを作成して画像データを分類し、また、同一ファイル名の画像データが存在する場合、ファイル名に通し番号を付加したファイル名に変更して記録メディアへの書き込みを行う画像出力装置を提供することにある。
【課題を解決するための手段】
【０００８】
前述した目的を達成するために本発明は、画像データを記録媒体から読み取る読取手段と、前記読取手段が読み取った前記画像データを、一意的なファイル名で書き込み用記録媒体に書き込む書込手段と、を具備することを特徴とする画像出力装置である。
【０００９】
画像出力装置の書込手段は、書き込み用記録媒体に書き込む画像データの中に同一ファイル名があるとき、元のファイル名に通し番号を付加したファイル名に変更し、書き込み用記録媒体に書き込む。
【００１０】
また、画像出力装置の書込手段は、書き込み用記録媒体にフォルダを作成し、各フォルダに指定された画像データを書き込む。
フォルダ及びフォルダに書き込む画像データは、ユーザが指定してもよい。あるいは、画像データの属性として保持される画像データが作成された日付に基づいて、画像出力装置の書込手段が作成された日付ごとに画像データを分類し、日付毎のフォルダを作成して書き込み用記録媒体に書き込んでもよい。
【００１１】
本発明では、記録媒体中の異なるフォルダ内に同一ファイル名の画像データが存在する場合も一意的なファイル名に変更し、任意のフォルダを作成して書き込み用記録媒体に画像データを書き込むことができるので、多数の画像データを書き込み用記録媒体に書き込んだ場合の検索性が向上させることができる。
【発明の効果】
【００１２】
本発明によれば、記録媒体に保存された画像データをＣＤ−Ｒ等の記録メディアに書き込む際、任意のフォルダを作成して画像データを分類し、また、同一ファイル名の画像データが存在する場合、ファイル名に通し番号を付加したファイル名に変更して記録メディアへの書き込みを行う画像出力装置を提供することができる。
【発明を実施するための最良の形態】
【００１３】
以下、添付図面を参照しながら、本発明に係る画像出力装置等の好適な実施形態について詳細に説明する。
【００１４】
最初に、図１を参照しながら、本発明の実施の形態に係る画像出力システム１００の構成について説明する。
図１は、画像出力システム１００の構成を示すブロック図である。
【００１５】
画像出力システム１００は、画像出力装置１０１等により実現される。
画像出力装置１０１は、画像データ読込書込手段１１１、画像編集合成手段１１２、素材データベース１１３、プリント手段１１４、注文内容入力手段１１５、課金手段１１６等を備える。
【００１６】
画像データ読込書込手段１１１は、原稿１２１をスキャナ装置等の原稿読取装置により読み取ったり、予め画像データが記録された入力メディア１２２から読み取ることにより、画像データを取得する。また、画像データ読込書込手段１１１は、画像出力装置１０１が作成した画像データを出力メディア１２３に記録することもできる。
入力メディア１２２は、例えば、スマートメディア、コンパクトフラッシュ（登録商標）カード、フレキシブルディスク、ＰＣ（Personal Computer）カード、ＣＤ−ＲＯＭ（Compact Disc-Read Only Memory）等である。
出力メディア１２３は、例えば、ＣＤ−Ｒ、フレキシブルディスク等である。
【００１７】
画像編集合成手段１１２は、一つ以上の画像データに対して、落書き、スタンプのような加工、画像データの切り抜き、変倍、切り抜いた画像の他の画像への貼り付け等、合成編集等を対話的に行う対話型インタフェース手段と画像処理プログラムで構成される。加工や合成編集に扱う画像データとしては、素材データベース１１３に存在する素材画像データ、フレーム画像データ等を用いることもできる。
【００１８】
プリント手段１１４は、高解像度カラープリンタである。昇華型あるいはインクジェット型などの方式は問わない。
【００１９】
注文内容入力手段１１５により、利用者は出力すべき注文内容を必要に応じて選択する。選択項目としては、モードの選択(実画像データの通常の出力を行うのか、シールプリントを行うのか、ＣＤ−Ｒ等の記録メディアへの書き込みを行うのか、等の指定)、さらに、実画像データの通常の出力等の場合には、複数コマ分の画像データを入力した場合、どの画像をプリントするかの指定、プリント枚数やプリントサイズの指定等がある。尚、利用者は、画像を出力する前に、一つ以上の画像データを指定して加工及び合成編集することができる。
【００２０】
注文内容入力手段１１５としては、例えば、ＣＲＴ（Cathode-Ray Tube）あるいはＬＣＤ（Liquid Crystal Display）等の表示手段と一体化されたタッチパネルや、キーボード、マウスやトラックボールのような各種ポインタを用いることができる。
【００２１】
次に、図２を参照しながら、画像出力装置１０１の外観構成について説明する。
図２は、画像出力装置１０１の外観斜視図である。
【００２２】
画像出力装置１０１の上段部正面には、タッチパネル付きモニタ画面２０１が配置されている。モニタ画面２０１は、操作案内や、操作の状況、読み取った画像あるいは編集加工した画像等を表示する表示手段として機能する。
【００２３】
モニタ画面２０１の画面の横には、メディア挿入口２０２が設置される。上段部と下段部を分けている水平部には、原稿の画像を読み取ってデジタルデータ化するスキャナ面２０３が設置されるまた、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２４】
メディア挿入口２０２は、スマートメディア、コンパクトフラッシュ（登録商標）カード、フレキシブルディスク、ＰＣカード、ＣＤ−ＲＯＭ、ＣＤ−Ｒ等の各種メディアの挿入口であり、スマートメディア挿入口、コンパクトフラッシュ（登録商標）投入口、フレキシブルディスク挿入口、ＰＣカード挿入口、ＣＤ−ＲＯＭ及びＣＤ−Ｒ挿入口等がひとまとめの位置に配置されている。
【００２５】
また、画像出力装置１０１の筐体内には、上記各種メディアの挿入口に対応して、それぞれの読取書込装置の本体が設置されている。各挿入口には、シャッタ（図示しない）を備えてもよい。この場合、シャッタの開閉を制御することにより、処理中に各種メディアを取り出せないようにしたり、手数料の徴収が完了するまで各種メディアを取り出せないようにすることができる。
【００２６】
画像出力装置１０１の下段部には、料金投入口である硬貨投入口２０５及び紙幣挿入口２０６、返却レバー２０７、返却口２０８、レシート取出口２０９、プリント物取出口２１０、スピーカ２１１、メンテナンスキー２１２、ドア開閉キー２１３等がそれぞれ配置されている。
【００２７】
料金投入口である硬貨投入口２０５及び紙幣挿入口２０６、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取る。また、硬貨が詰まった時には硬貨返却レバー２０７を回すことにより返却口２０８から放出されるので、それを受け取る。
料金を徴収した後、レシート取出口２０９から徴収した金額や注文内容が印刷されたレシートが放出される。
【００２８】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００２９】
メンテナンスキー２１２は、ユーザを受け付けることができる通常の運転モードと、管理者が画像出力システムの設定やメンテナンスを行う管理モードを切り換えるキーである。
【００３０】
また、外見からは明確に認識できないが、ポスト型画像出力装置１０１の筐体内には、画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３１】
次に、図３を参照しながら、画像出力装置１０１の概略構成について説明する。
図３は、画像出力装置１０１のハードウエア構成である。
【００３２】
画像出力装置１０１は、制御部３０１、ハードディスク３０２、入出力部３０３、デジタルカメラ３０５、スキャナ３０６、各種メディア読取書込部３０７、シャッタ３０８、モニタ３０９、コインメック３１０、ビルバリ３１１、レシートジャーナル処理部３１２、プリンタ３１３等が、バス３１４を介して接続される。
【００３３】
制御部３０１は、プログラムの実行を行うＣＰＵ（Central Processing Unit）と、プログラム命令あるいはデータ等を格納するためのＲＯＭ（Read Only Memory）、ＲＡＭ（Radom Access Memory）等のメモリから構成される。制御部３０１は、画像出力装置１０１全体を制御する。
【００３４】
ハードディスク３０２には、各構成部分を駆動制御するためのプログラム、例えば、各記録メディアに対応する読込書込プログラム、シャッタの開閉プログラム、課金プログラム等の他に、画像編集合成手段１１２の一部として入力または選択された画像を編集するための画像編集プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、及び画像の合成に用いるフレーム、背景画像、ぬりえ用の線画イラスト画像等の画像データを記憶した素材データベース１１３が格納されている。
【００３５】
これらの各プログラムコードは、制御部３０１により必要に応じて読み出されてＲＡＭに移され、ＣＰＵにより読み出されて各種手段として実行される。
【００３６】
入出力部３０３はＣＤ−ＲＯＭ／ＣＤ−Ｒドライブ装置、キーボード、マウス等で、制御部３０１のＲＯＭやハードディスク３０２に記憶されているプログラムや情報をバージョンアップ、あるいは、画像出力システムの動作設定、機器設定等の設定を行う際に用いられる。
メンテナンスキーにより本体部を管理モードに切り替えて、入出力部３０３にバージョンアップ用のＣＤ−ＲＯＭを挿入し、データの書き換えを行ったり、設定データを入力して設定を行う。
【００３７】
デジタルカメラ３０５、スキャナ３０６、各種メディア読取書込部３０７（１〜ｎ）は、画像データ読込書込み手段１１１に相当する。
シャッタ３０８は、記録メディア挿入口に設けられ、記録メディア挿入口を開閉し、読取処理中に記録メディアを取り出せないようにしたり、課金処理が完了するまで記録メディアを取り出せないようにすることができる。
【００３８】
モニタ３０９に表示された操作案内に従って、モニタ３０９に表示されたタッチパネルボタンを選択し触れることにより、プリントモードの選択及びオリジナル画像データの読み込みから、加工、合成編集、プリント物の出力、ＣＤ−Ｒ等の記録メディアへの書き込みまでの一連の操作を行うことができる。
【００３９】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像のプリント処理を行う。
【００４０】
次に、図４、５、６、７、８、９、１０、１１、１２を参照しながら、画像出力装置１０１の動作について説明する。
図４は、画像出力装置１０１の動作を示すフローチャート、図５は、画像出力装置１０１のメインメニュー画面５００を示す図、図６は、入力メディアの選択における画像出力装置１０１の動作を示すフローチャート、図７は、入力メディア選択時における画像出力装置１０１を示す図、図８は、入力メディア確認時における画像出力装置１０１を示す図、図９は、出力メディアの選択における画像出力装置１０１を示す図、図１０は、出力メディア１２３への書き込み時において画像出力装置１０１が表示する画面１０００を示す図、図１１は、フォルダ指定時において画像出力装置１０１が表示する画面１１００を示す図、図１２は、画像データのフォルダへの分類の一例を示す図である。
【００４１】
図５に示すように、画像出力装置１０１の制御部３０１は、モニタ画面２０１にメインメニュー画面５００を表示する（ステップ４０１）。
【００４２】
メインメニュー画面５００には、サービスメニューに対応するボタンである項目５０１が表示される。各項目５０１には、入力メディアに保存した画像データを写真としてプリントする「デジカメプリント」、シール紙にプリントする「シールプリント」、出力メディア１２３に書き込みを行う「ＣＤ−Ｒ書き込み」等が表示される。
利用者は、モニタ画面２０１上のタッチパネルを介して項目５０１を選択することにより、サービスメニューの選択を行う。
【００４３】
利用者が「ＣＤ−Ｒ書き込み」メニューを選択すると、画像出力装置１０１の制御部３０１は、入力メディア選択画面を表示する（ステップ４０２）。
【００４４】
図６に示すように、入力メディア１２２の選択時における画像出力装置１０１の動作では、画像出力装置１０１の制御部３０１は、図７に示す入力メディア選択画面７００をモニタ画面２０１上に表示する（ステップ６０１）。
【００４５】
入力メディア選択画面７００には、各種入力メディアに対応するボタンである項目７０１が表示される。各項目７０１には、入力メディアの外観等の画像７０２（実物大画像、拡大画像、縮小画像）、挿入口の番号７０３等が表示される。
利用者は、モニタ画面２０１上のタッチパネルを介して項目７０１を選択することにより、入力メディアの選択を行う。
【００４６】
画像出力装置１０１は、入力メディアが選択されると、選択された項目を強調して表示する（ステップ６０２）。
強調表示は種々の態様を取り得るが、画像出力装置１０１は、例えば、選択された項目の輝度を高くしたり、選択された項目のみを表示するようにしてもよい。
【００４７】
尚、利用者は、項目７０１に表示されるメディアの外観画像７０２と持参の記録メディア等とを比較して、選択すべき項目を判断したり、選択した項目を確認することができる。
また、項目と共に表示される入力メディアの外観画像については、画像出力装置１０１は、利用者の要求により、随時、実物大画像、拡大画像、縮小画像等を挿入口の番号と共に表示するようにしてもよい（ステップ６０５）。
【００４８】
図８に示すように、画像出力装置１０１の制御部３０１は、選択された項目に対応する挿入口８０２近傍の番号灯８０１を点灯、点滅させる（ステップ６０３）。
また、図７及び図８に示すように、メディア挿入口２０２において、入力メディア毎に開閉可能な開閉扉７０４が設けられている場合、画像出力装置１０１の制御部３０１は、選択された入力メディアの挿入口の開閉扉を開いた上で（ステップ６０４）、番号灯８０１を点灯、点滅させる。
【００４９】
尚、画像出力装置１０１は、表示画面の挿入口の番号を表示し、利用者はこの番号表示に基づいてメディアの挿入等を行う。従って、挿入口近傍に番号表記が設けられていれば、上記ステップ６０３、ステップ６０４の処理において必ずしも番号等を点灯等させる必要はない。
また、開閉扉７０４は、画像出力装置側で自動的に開閉制御され、手動では開閉不可能なものとすることが望ましい。
【００５０】
以上の過程を経て、画像出力装置１０１の制御部３０１は、メディア選択画面表示、メディア装着ガイダンス表示、メディア確認画面等を表示し、音声案内、動画案内等と共に、利用者にメディアの選択、メディアの装着を促す。
【００５１】
上記のように、画像出力装置１０１は、メディア毎に挿入口に付される番号、メディアの外観画像等を対応つけて表示するので、メディアの知識がない利用者であっても、実物大イメージと形状等を比較することにより、挿入番号を確認することができる。
【００５２】
また、メディアが選択、指定されると、当該メディアの挿入口の番号を表示したり、挿入口の番号灯を点灯させたり、当該メディアの挿入口のみを使用可能とする（例えば、当該メディアの挿入口の開閉扉のみを開ける）ので、画像出力装置１０１は、利用者を目的のメディアの挿入口へ正確に誘導することができる。
従って、利用者の誤動作を防止すると共に、操作性を向上することができる。
また、当該メディア部のみ使用可能となるので、メディア部への防塵、防埃、いたずら防止ができ、図２等に示す画像出力装置の耐障害性及び保守性を向上できる。
【００５３】
尚、図８に示すように、画像出力装置１０１は、番号灯８０１を点灯、点滅させたり、開閉扉７０４を開く際、入力メディア確認画面８００を表示するようにしてもよい。この場合、画像出力装置１０１は、選択された入力メディアについて、挿入口の番号、入力メディアの外観等の画像（実物大画像、拡大画像、縮小画像等）を表示し、利用者は、再度、入力メディアの確認を行うことができる。
【００５４】
また、画面上に表示する画像は、静止画、動画を問わない。
また、画像出力装置１０１は、画面表示によるガイダンスの他、音声によるガイダンスを行うようにしてもよい。
【００５５】
また、上記の技術は、画面出力装置以外にも適用可能であり、例えば、複数種類のメディアのデータの読み込みが可能であり、表示画面を有する装置、機器等であれば、画像データの出力機能を具備せずとも、上記の技術を適用可能である。
【００５６】
入力メディアの装着後、画像出力装置１０１の制御部３０１は、図９に示す出力メディア１２３の選択画面９００を表示する（ステップ４０３）。
【００５７】
出力メディア選択画面９００には、各種出力メディアに対応するボタンである項目９０１が表示される。各項目９０１には、出力メディアの外観等の画像９０２（実物大画像、拡大画像、縮小画像）、挿入口の番号９０３等が表示される。
利用者は、モニタ画面２０１上のタッチパネルを介して項目９０１を選択することにより、出力メディアの選択を行う。
画像出力装置１０１は、出力メディアが選択されると、入力メディアの時と同様の方法で、利用者に確認後、挿入口への出力メディアの装着を要求する。
【００５８】
画像出力装置１０１の制御部３０１は、入力メディア１２２から画像データを読み込み、図１０に示すように、モニタ画面２０１上に書き込み画像データ選択画面１０００を表示する（ステップ４０４）。
【００５９】
書き込み画像データ選択画面１０００には、入力メディア１２２から読み込まれた画像データに対応するボタンである項目１００１が表示される。
【００６０】
利用者が、自分でフォルダを指定して、出力メディア１２３に画像データを書き込もうとする場合（ステップ４０５）、画像出力装置１０１の制御部３０１はモニタ画面２０１上に書き込み画像データ選択画面１０００を表示する（ステップ４０６）。
利用者は、書き込み画像データ選択画面１０００上で書き込みをする画像データを表示した項目１００１を選択する。
【００６１】
画像出力装置１０１は、書き込み画像データが選択されると、選択された項目を強調して表示する。
強調表示は種々の態様を取り得るが、画像出力装置１０１は、例えば、選択された項目の輝度を高くする。
利用者は、複数の書き込み画像データを選択することができる。
【００６２】
書き込み画像データの選択後、利用者が「決定」の項目ボタンを選択すると、画像出力装置１０１の制御部３０１は、モニタ画面２０１上にフォルダ指定画面１１００を表示する（ステップ４０７）。
【００６３】
図１１に示すように、フォルダ指定画面１１００には、フォルダに対応するボタンである項目１１０１が表示される。
フォルダは、「家族」、「友人」、「ペット」、「子ども」、「旅行」、「風景」等の既定のフォルダを指定してもよいし、「フォルダを作成する」の項目を選択することにより、任意のフォルダを指定してもよい。
【００６４】
利用者が、他の画像データの書き込みをしようとする場合（ステップ４０８）、ステップ４０６に戻り、書き込み画像データの選択、フォルダの指定を繰り返し行う。
【００６５】
図１２に示すように、画像データＡＢＣ−００１．ｊｐｇ〜ＡＢＣ−０１０．ｊｐｇを出力メディア１２３に書き込もうとする場合、例えば、ＡＢＣ−００２．ｊｐｇ、ＡＢＣ−００３．ｊｐｇ、ＡＢＣ−０１０．ｊｐｇの３個の画像データはフォルダ「家族」に、ＡＢＣ−００１．ｊｐｇ、ＡＢＣ−００５．ｊｐｇ、ＡＢＣ−００８．ｊｐｇ、ＡＢＣ−００９．ｊｐｇの４個の画像データはフォルダ「友人」に、ＡＢＣ−００４．ｊｐｇ、ＡＢＣ−００６．ｊｐｇ、ＡＢＣ−００７．ｊｐｇの３個の画像データはフォルダ「ペット」に書き込むように指定することができる。
【００６６】
利用者が、日付毎のフォルダを自動作成し、出力メディア１２３に画像データを書き込もうとする場合（ステップ４０５）、画像出力装置１０１の制御部３０１は、入力メディア１２２から取得した画像データをファイルの属性に基づいて日付ごとに分類する（ステップ４０９）。
利用者は、書き込み画像データ選択画面１０００上の「自動分類する」という項目１００２を選択することにより、日付ごとのフォルダの自動作成ができる。
【００６７】
画像出力装置１０１の制御部３０１は、利用者の注文内容に応じて、課金処理、レシート発行処理を行う（ステップ４１０）。
【００６８】
画像出力装置１０１の制御部３０１は、指定されたフォルダ毎に画像データを出力メディア１２３に書き込む（ステップ４１１）。
画像出力システム１００の稼動を続ける場合（ステップ４１２）、画像出力装置１０１の制御部３０１はステップ４０１〜ステップ４１１の処理を繰り返す。
【００６９】
次に、図１３、１４を参照しながら、出力メディアに書き込む画像データに同一ファイル名がある場合の画像出力装置１０１の動作について説明する。
図１３は、画像出力装置１０１が出力メディアに書き込むフォルダ毎の画像データを対象としてファイル名変更を行う動作を示すフローチャート、図１４は、画像出力装置１０１が出力メディア１２３に書き込む全画像データを対象としてファイル名変更を行う動作を示すフローチャートである。
【００７０】
図４の画像出力装置１０１の動作のステップ４１１で、ＣＤ−Ｒ、フレキシブルディスクのような出力メディア１２３に画像データを書き込む際、同一ファイル名の画像データが存在する場合、画像出力装置１０１の制御部３０１は元のファイル名に通し番号を追加したファイル名に変更し、出力メディア１２３に書き込む。
同一ファイル名があるかどうかの判定は、出力メディア１２３に書き込む全画像データを対象としてもよいし、あるいは、出力メディア１２３に書き込むフォルダ毎の画像データを対象としてもよい。
【００７１】
図１３に示すように、出力メディア１２３に書き込むフォルダ毎に同一ファイル名の変更を行う場合、画像出力装置１０１の制御部３０１は、ＣＤ−ＲＯＭ／ＣＤ−Ｒドライブ装置である入出力部３０３により、指定されたフォルダ名を出力メディア１２３に書き込む（ステップ１３０１）。
【００７２】
画像出力装置１０１の制御部３０１は、指定されたフォルダに書き込みを行う画像データのファイル名を読み出し（ステップ１３０２）、重複したファイル名があるかどうか判定する（ステップ１３０３）。
【００７３】
重複したファイル名がある場合、重複した元のファイル名に通し番号を追加したファイル名に変更する（ステップ１３０４）。
例えば、ファイル名「ＡＢＣＤＥ．ｊｐｇ」の画像データが２個存在する場合、夫々ファイル名を「ＡＢＣＤＥ−００１．ｊｐｇ」、「ＡＢＣＤＥ−００２．ｊｐｇ」に変更する。
【００７４】
画像出力装置１０１の制御部３０１は、ＣＤ−ＲＯＭ／ＣＤ−Ｒドライブ装置である入出力部３０３に指示し、出力メディア１２３に指定されたフォルダに対応する画像データを書き込む（ステップ１３０５）。
他に指定されたフォルダがあるかどうか判定し（ステップ１３０６）、あればステップ１３０１に戻り処理を繰り返す。
【００７５】
図１４に示すように、出力メディア１２３に書き込む全画像データを対象としてファイル名変更を行う場合、画像出力装置１０１の制御部３０１は、出力メディア１２３に書き込む全画像データのファイル名を読み出し（ステップ１４０１）、重複したファイル名があるかどうか判定する（ステップ１４０２）。
【００７６】
重複したファイル名がある場合、重複した元のファイル名に通し番号を追加したファイル名に変更する（ステップ１４０２）。
画像出力装置１０１の制御部３０１は、ＣＤ−ＲＯＭ／ＣＤ−Ｒドライブ装置である入出力部３０３に指示し、出力メディア１２３に指定されたフォルダ毎に対応する画像データを書き込む（ステップ１４０４）。
【００７７】
以上、添付図面を参照しながら本発明に係る画像出力装置の好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００７８】
例えば、前述した実施形態では、ＣＤ−Ｒ等の記録メディアへ書き込むフォルダの自動作成は日付毎としたが、月毎、年毎でもよいし、入力メディアに保存されているファイルの他の属性を用いてフォルダを作成するようにしてもよい。
【図面の簡単な説明】
【００７９】
【図１】画像出力システム１００の構成を示すブロック図
【図２】画像出力装置１０１の外観斜視図
【図３】画像出力装置１０１のハードウエア構成
【図４】画像出力装置１０１の動作を示すフローチャート
【図５】画像出力装置１０１のメインメニュー画面５００を示す図
【図６】入力メディアの選択における画像出力装置１０１の動作を示すフローチャート
【図７】入力メディア選択時における画像出力装置１０１を示す図
【図８】入力メディア確認時における画像出力装置１０１を示す図
【図９】出力メディアの選択における画像出力装置１０１を示す図
【図１０】出力メディア１２３への書き込み時において画像出力装置１０１が表示する画面１０００を示す図
【図１１】フォルダ指定時において画像出力装置１０１が表示する画面１１００を示す図
【図１２】画像データのフォルダへの分類の一例を示す図
【図１３】画像出力装置１０１が出力メディアに書き込むフォルダ毎の画像データを対象としてファイル名変更を行う動作を示すフローチャート
【図１４】画像出力装置１０１が出力メディア１２３に書き込む全画像データを対象としてファイル名変更を行う動作を示すフローチャート
【符号の説明】
【００８０】
１００………画像出力システム
１０１………画像出力装置
１１１………画像データ読込書込み手段
１１２………画像編集合成手段
１１３………素材データベース
１１４………プリント手段
１１５………注文内容入力手段
１１６………課金手段
１２１………原稿
１２２………入力メディア
１２３………出力メディア
１２４………プリント物
２０１………モニタ画面
２０２………メディア挿入口
２０３………スキャナ面
２０４………レンズ窓
２０５………硬貨投入口
２０６………紙幣挿入口
２０７………返却レバー
２０８………返却口
２０９………レシート取出口
２１０………プリント物取出口
２１１………スピーカ
２１２………メンテナンスキー
２１３………ドア開閉キー
【図１】
2005149251.tif 000003
【図２】
2005149251.tif 000004
【図３】
2005149251.tif 000005
【図４】
2005149251.tif 000006
【図５】
2005149251.tif 000007
【図６】
2005149251.tif 000008
【図７】
2005149251.tif 000009
【図８】
2005149251.tif 000010
【図９】
2005149251.tif 000011
【図１０】
2005149251.tif 000012
【図１１】
2005149251.tif 000013
【図１２】
2005149251.tif 000014
【図１３】
2005149251.tif 000015
【図１４】
2005149251.tif 000016